(57)【特許請求の範囲】
【請求項１】
少なくとも一方の面に膜硬度がＨ以下の機能膜を形成したレンズと、
該レンズの機能膜を形成した面と対向して、該機能膜を形成した面の径よりも大きな径を有するレンズとを含み、
該機能膜を形成した面のエッジ部と該機能膜を形成した面の径よりも大きな径を有するレンズの光学面とがマージナルコンタクトされていることを特徴とする光学系。
【請求項２】
前記機能膜を形成した面の径よりも大きな径を有するレンズの該機能膜が形成された面と対向する面には、反射防止膜が形成されていることを特徴とする請求項１に記載の光学系。
【請求項３】
前記反射防止膜の表面は、撥油処理が施されていることを特徴とする請求項２に記載の光学系。
【請求項４】
前記機能膜は、その最外面側に材料の屈折率が１．３５以下の層を有することを特徴とする請求項１乃至３のいずれか１項に記載の光学系。
【請求項５】
前記機能膜は、可視光領域で反射防止機能を有することを特徴とする請求項１乃至４のいずれか１項に記載の光学系。
【請求項６】
前記機能膜は、その最外面側に、微細構造部を有することを特徴とする請求項１乃至５のいずれか１項に記載の光学系。
【請求項７】
前記微細構造部は、最外面側が微細凹凸形状であることを特徴とする請求項６に記載の光学系。
【請求項８】
前記微細構造部は、微細な空孔や粒子を含んだ薄膜であることを特徴とする請求項６に記載の光学系。
【請求項９】
前記機能膜は、微細凹凸形状を有する型を用いた射出成形によりレンズ面に微細凹凸形状を転写することで作製されたものであることを特徴とする請求項７に記載の光学系。
【請求項１０】
前記機能膜は、レンズと微細凹凸構造が形成された型を、放射線硬化性樹脂の前駆液層を介して積層した後、放射線を照射して前駆液層を硬化させた後に離型することにより微細凹凸形状をレンズ表面に形成することで作製されたものであることを特徴とする請求項７に記載の光学系。
【請求項１１】
前記機能膜は、５５０ｎｍ以下のサイズからなる微粒子をバインダ中に分散してなる液をレンズ面にスピンコート又はディップコートすることで微粒子を配列した層を最外面側に形成することで作製されたものであることを特徴とする請求項８に記載の光学系。
【請求項１２】
前記機能膜は、最外面側にシリカエアロゲルの多孔質層を有することを特徴とする請求項１乃至５のいずれか１項に記載の光学系。
【請求項１３】
前記機能膜は、異なる媒質を分散した樹脂をレンズ面に塗布し、前記媒質を処理により樹脂から削除することで空孔が形成された層を最外面側に有することを特徴とする請求項８に記載の光学系。
【請求項１４】
前記機能膜は、ジルコニウム、シリコン、チタニウムおよび亜鉛の化合物から選ばれた少なくとも１種の化合物と、アルミニウム化合物を少なくとも含む塗布液をレンズ面にスピンコート又はディップコートすることで製膜した多成分系膜を、温水処理することで作製した微細構造層を最外面側に有することを特徴とする請求項７に記載の光学系。
【請求項１５】
前記微細構造部の最外面側には、１０ｎｍ以下の膜厚の保護膜が形成されていることを特徴とする請求項７に記載の光学系。
【請求項１６】
前記微細構造部は、２００ｎｍ以下の微細構造より成ることを特徴とする請求項６に記載の光学系。
【請求項１７】
前記機能膜を形成したレンズと該機能膜を形成した面の径よりも大きな径を有するレンズとを収納するレンズ鏡筒を有し、該機能膜を形成したレンズが、該機能膜を有する面とは反対側の面方向から、該レンズ鏡筒に組み込まれる形状より構成されていることを特徴とする請求項１乃至１６のいずれか１項に記載の光学系。
【請求項１８】
前記機能膜を形成した面の径よりも大きな径を有するレンズは、前記機能膜を形成した面のエッジ部のみから受ける押圧力により前記レンズ鏡筒に押し付けられることで、光軸方向に固定されていることを特徴とする請求項１７に記載の光学系。
【請求項１９】
前記機能膜を形成したレンズのエッジ部が前記機能膜を形成した面の径よりも大きな径を有するレンズを前記レンズ鏡筒に押し付けるようにして該レンズ鏡筒に固定されることにより、該レンズ鏡筒内で該機能膜を形成した面の径よりも大きな径を有するレンズが該機能膜を形成したレンズに対して固定されている以外では、該機能膜を形成した面の径よりも大きな径を有するレンズは該機能膜を形成したレンズに対して固定されていないことを特徴とする請求項１８に記載の光学系。
【請求項２０】
前記機能膜を形成した面の径よりも大きな径を有するレンズの該機能膜が施されている面と対向する面には、膜硬度がＨ以上の反射防止膜が形成されていることを特徴とする請求項１乃至１９のいずれか１項に記載の光学系。
【請求項２１】
少なくとも一方の面に機能膜を形成した第１レンズと、該第１レンズの機能膜を形成した面と対向して、該機能膜を形成した面の径よりも大きな径を有する第２レンズとを含み、前記第１レンズの該機能膜を形成した面のエッジ部と前記第２レンズの光学面とがマージナルコンタクトされた光学系であって、
該機能膜の膜硬度は、該機能膜を形成した面と対向する該第２レンズの材料の硬度より小さいか又は該機能膜を形成した面と対向する該第２レンズの面に形成された膜の膜硬度より小さいことを特徴とする光学系。
【請求項２２】
前記第１レンズと前記第２レンズとを収納するレンズ鏡筒とを含み、
該第２レンズは、該第１レンズのエッジ部のみから受ける押圧力により前記レンズ鏡筒に押し付けられることで、光軸方向に固定されていることを特徴とする請求項２１に記載の光学系。
【請求項２３】
前記第１レンズのエッジ部が前記第２レンズを前記レンズ鏡筒に押し付けるようにして該レンズ鏡筒に固定されることにより、該レンズ鏡筒内で該第２レンズが該第１レンズに対して固定されている以外では、該第２レンズは該第１レンズに対して固定されていないことを特徴とする請求項２２に記載の光学系。
【請求項２４】
請求項１乃至２３のいずれか１項の光学系を有していることを特徴とする光学機器。
【発明の詳細な説明】
【技術分野】
【０００１】
本発明は光学系に関し、例えば銀塩フィルム用カメラ、デジタルスチルカメラ、ビデオカメラ、デジタルビデオカメラ、望遠鏡、双眼鏡、プロジェクター、複写機等の光学機器に用いられる光学系として好適なものである。
【背景技術】
【０００２】
従来、ガラス、プラスチックなどの透光性媒質を用いた光学素子(レンズ）には、表面反射が多いとフレアーやゴーストが多く発生し、また透過率が低下するので表面に薄膜の誘電体膜よりなる反射防止膜が施されている。
【０００３】
この反射防止膜には、光学素子に入射する光束の入射角度範囲が広くても、良好なる反射防止効果が得られることが要望されている。
【０００４】
広い入射角度範囲で高い反射防止効果を得るには、空気と層との間や、層と層との間の界面を構成する膜の屈折率差が小さいことが必要である。このためには誘電体膜よりも低屈折率の機能膜を用いることが有効である。
【０００５】
従来より低屈折率の機能膜として、層内(透明材料中）に微小空孔を分散させた多孔質膜や微粒子を配列した膜（多孔質光学材料）が知られている（例えば特許文献１、２参照）。
【０００６】
この他、可視光の波長以下の微細な微細凹凸構造を表面に形成し、反射防止を行った機能膜が知られている（例えば非特許文献１参照）。
【０００７】
一方、レンズをレンズ鏡筒内に収納保持するには、レンズをレンズ鏡筒に直接組み込み、保持部材（押さえリング）を用いて固定する方法が用いられている。或いは、スペーサを用いて隣接するレンズ間の相対的な間隔を維持しながら、保持部材で保持する方式が用いられている。
【０００８】
このとき光学系全体の長さを短縮するためや、組立精度を向上させるために隣接するレンズ同士をレンズ外周部で直接接触させ、レンズ鏡筒内でその状態を保持する方式（以下、マージナルコンタクトと呼ぶ）が利用されている。
【０００９】
通常、金属やモールド樹脂で製作された鏡筒やスペーサの加工精度は数μｍから数１０μｍである。これに対し、レンズ面の曲率の加工精度はサブミクロンの精度である。そのため、マージナルコンタクト方式は、対向するレンズ間隔の精度や偏心の精度が高く要求される場合に大変有効であり、高精度が要求される光学系には、多く適用されている。
【００１０】
また最近では、レンズの偏心に関する敏感度が高い一部のレンズはレンズ鏡筒内で偏心調整を行った後に固定することも行われている。
【００１１】
図８（ａ），（ｂ）はレンズ鏡筒３内にマージナルコンタクトした２つのレンズ１、２を光軸９に対して偏心調整した後に固定する方法の説明図である。
【００１２】
図８（ａ）はマージナルコンタクトされた２つのレンズ１、２を光軸９と直交する面内で矢印の如く回転調整を行い、調心を行っている状態を示している。
【００１３】
図８（ｂ）はマージナルコンタクトした２つのレンズ１、２を光軸９と直交する面内で矢印の如くシフト調整を行い、調心を行っている状態を示している。
【特許文献１】特開平６−００３５０１号公報
【特許文献２】特開２００４−３０２１１２号公報
【特許文献３】特開２００５−１５７１１９号公報
【特許文献４】特開２００６−１０８３１号公報
【非特許文献１】Ａｐｐｌｉｅｄ  Ｏｐｔｉｃｓ，Vｏｌ．２５，Ｎｏ．２４，ｐｐ４５６２−４５６７，（１９８６）
【発明の開示】
【発明が解決しようとする課題】
【００１４】
特許文献１〜４や非特許文献１で開示されている広い入射角度範囲で良好なる反射防止効果を得るための低屈折率の機能膜は、誘電体膜よりなる低屈折率の膜に比べて膜硬度が大変小さい（弱い）。
【００１５】
このため光学系の全長を短縮するためや、高い組立精度を得るために２つのレンズをマージナルコンタクトするとき、機能膜が施された面が他の面と接触すると接触部で機能膜が破損し、反射防止効果が低下してしまう場合がある。
【００１６】
また破損した機能膜の一部がレンズ面に飛散し、光学性能が低下する原因となってくる場合がある。
【００１７】
このため機能膜を施したレンズをマージナルコンタクトしてレンズ鏡筒内に収納する場合には、機能膜が破損されないようにすることが大きな課題となっている。
【００１８】
本発明は膜硬度が弱い機能膜を施したレンズを機能膜を破損することなく他のレンズとマージナルコンタクトすることができ、各レンズを高い組立精度で容易に組み立てることができる光学系の提供を目的とする。
【課題を解決するための手段】
【００１９】
本発明の光学系は、少なくとも一方の面に膜硬度がＨ以下の機能膜を形成したレンズと、
該レンズの機能膜を形成した面と対向して、該機能膜を形成した面の径よりも大きな径を有するレンズとを含み、
該機能膜を形成した面のエッジ部と該機能膜を形成した面の径よりも大きな径を有するレンズの光学面とがマージナルコンタクトされていることを特徴としている。
【発明の効果】
【００２０】
本発明によれば膜硬度が弱い機能膜を施したレンズを機能膜を破損することなく他のレンズとマージナルコンタクトすることができ、各レンズを高い組立精度で容易に組み立てることができる光学系が得られる。
【発明を実施するための最良の形態】
【００２１】
本発明の光学系は、マージナルコンタクトする２つのレンズを有している。このうち一方のレンズであって、マージナルコンタクトしている面にはISO／DIN  15184規格されている引っかき硬度規格による膜硬度が計測において、Ｈ以下の膜硬度の弱い機能膜が形成されている。
【００２２】
一方のレンズの機能膜が施されている面と、マージナルコンタクトしているレンズのマージナルコンタクト面は、機能膜が施されている面の径よりも大きな径（レンズ径）より成っている。
【００２３】
機能膜は可視光領域（波長４００ｎｍ〜７００ｎｍ）において反射防止機能を有している。
【実施例】
【００２４】
図１は本発明の実施例１の光学系の主要部の断面形状図である。図１では第１レンズ１と第２レンズ２がレンズ鏡筒３に組み込まれている状態を示している。実際の光学系では、さらに多数のレンズがレンズ鏡筒３に組み込まれていたり、ズーミングに応じて、複数のレンズ群がレンズ鏡筒内を移動する機構を有している。図１では複雑になるため、本発明の特徴を簡潔に説明するために、最低限の数のレンズとレンズ鏡筒の構成を示している。
【００２５】
図１において、第１レンズ１は凸形状の第１面５と凹形状の第２面６からなるメニスカス形状の負レンズである。第２レンズ２は凸形状の第１面７と凸形状の第２面８からなる正レンズである。また、第１レンズ１の第１面５の外径はΦ１ａ、第２面６の内径はΦ１ｂである。ここでΦ１ｂ＜Φ１ａである。第２レンズ２の第１、第２面７，８の外径はいずれもΦ２である。
【００２６】
第１レンズ１の凹形状の第２面(レンズ面）６には膜硬度の弱い反射防止機能を有する機能膜１４が施されている。機能膜１４はISO／DIN  15184規格による膜硬度がＨ以下である。
【００２７】
ここで機能膜とは、層内(透明材料中）に微小空孔を分散させた多孔質膜や微粒子を配列した膜、或いは微細凹凸形状を有する膜をいう。
【００２８】
機能膜１４は、図２に示すように、第１レンズ１のレンズ面６上に形成された、例えば、薄膜部１５と微細構造部１６から構成されている。薄膜部１５は1層以上の薄膜からなり、真空蒸着やスパッタ成膜、ゾルゲル液のスピン塗布法などにより微細構造を含まない緻密な膜で構成されている。
【００２９】
薄膜部１５の上に、それよりも又は第１レンズ１の材料よりも低屈折率の層として作用する微細構造部１６を積層している。
【００３０】
微細構造部１６は使用波長の最短波長(例えば波長４００ｎｍ)の１／２以下（例えば２００ｎｍ以下）の周期構造を有する微細構造より成っている。
【００３１】
一般に空気と媒質の界面に微細構造を形成した場合、波長以下の構造は、構造体としての機能は有さず、空気と媒質の占有率に応じた屈折率を有する薄膜と等価の作用をする。微細構造を円錐形状などにすると、媒質から空気に向けて、連続的に屈折率が減少する膜と等価となる。この構成では、基本的に屈折率差が発生する界面が存在していないため、広入射角にわたり、良好な反射防止特性が得られる。
【００３２】
本実施例では、これによって高性能な反射防止特性を有する機能膜１４を構成している。
【００３３】
また、本実施例に用いられる微細構造部１６は、図３に示すような微粒子１６ａが配列した構造のもの（微細な空孔や粒子を含んだ低屈折率の層）が適用可能である。また図４に示すような使用波長(例えば５５０ｎｍ）以下の微細凹凸形状部１６ｂを最外面側に複数配列した構造のものが適用可能である。
【００３４】
或いは、図５に示すように、機能膜１４として、レンズ面６に直接、微細構造部１４ａを形成して薄膜層１５を省略しても良い。いずれの場合も、最外面（空気と接する面）の膜のISO／DIN  15184規格されている引っかき硬度規格による膜硬度がＨ以下の弱い機能膜の構成であれば、本発明の対象とする光学系が適用できる。微細凹凸形状（微細構造部）や、低屈折率の層等の製法としては、例えば以下に示すものが利用できる。
【００３５】
ここで低屈折率の層とは、それが形成される基板（レンズ又は薄膜層）の屈折率に比べて低い屈折率より成る層のことである。例えばＭｇＦ２（屈折率１．３８）やＳｉＯ２（屈折率１．４９）よりも小さな屈折率１．３５以下のことである。
【００３６】
１）微細凹凸形状を有する型を用いた射出成形によりレンズ面に微細凹凸形状を転写する製法
２）レンズと微細凹凸構造が形成された型を、放射線硬化性樹脂の前駆液層を介して積層した後、放射線を照射して前駆液層を硬化させた後に離型することにより微細凹凸形状をレンズ表面に形成する製法
３）光(可視光）の波長以下(例えば波長５５０ｎｍ以下）のサイズからなる微粒子をバインダ中に分散してなる液をレンズ面にスピンコート又はディップコートの少なくとも一方を行うことで微粒子を配列した層を最外面側（空気と接する面側）に形成する製法
４）最外面側にシリカエアロゲルの多孔質層を形成する製法
５）異なる媒質を分散した樹脂をレンズ面に塗布し、前記媒質を処理により樹脂から削除することで空孔が形成された屈折率層を最外面側に形成する製法
６）ジルコニウム、シリコン、チタニウムおよび亜鉛の化合物から選ばれた少なくとも１種の化合物とアルミニウム化合物を少なくとも含む塗布液をレンズ面にスピンコート又はディップコートの少なくとも一方を行う。これにより製膜した多成分系膜を、温水処理することで作製した微細構造層を最外面側に形成する製法
以上、説明した各種の製法が、高性能の特性を有する機能膜の製法として利用できる。これ以外の製法でも、高性能な機能膜を実現する製法で、膜硬度の弱い膜となる場合は、本発明に適用できる。
【００３７】
次に図１において２つのレンズ１，２をレンズ鏡筒３に組み込む手順に従って、実施例1の光学系の構成を説明する。
【００３８】
本実施例では、機能膜を形成したレンズと機能膜を形成した面の径よりも大きな径を有するレンズとを収納するレンズ鏡筒は、機能膜を形成したレンズが、機能膜を有する面とは反対側の面方向から、該レンズ鏡筒に組み込まれる形状より成っている。
【００３９】
図１の光学系の構成は、矢印１３の方向からレンズ２，１を順にレンズ鏡筒３に組み込むようにレンズ鏡筒３、第１、第2レンズ１，２の形状が構成されている。
【００４０】
まず、第２レンズ２がレンズ鏡筒３に外径部１０で嵌合することで、光軸９に垂直な方向の位置が保持される。そして光軸９に平行な方向にスライドし、第２レンズ２の第２面８の外周部でレンズ鏡筒３に接触することで、光軸９方向に固定される。
【００４１】
次に、第１レンズ１がレンズ鏡筒３に組み込まれる。レンズ鏡筒３に対し外径部１１で嵌合しながらスライドし、第１レンズ１の第２面６の内径Φ１ｂのエッジ部１２が、第２レンズ２の第１面７と接触し、光軸９方向に固定される。最後に、押さえ環４で各レンズが動かないように保持される。
【００４２】
図１においては、第１レンズ１の外径に対して、レンズ鏡筒３の径が大きめの構成となっている。レンズ外径とレンズ鏡筒径の差分の範囲で、第１レンズ１が自由に動くことが出来る。
【００４３】
この構成は、レンズ単品の面が偏心していた場合でも、第１レンズ１の第2面６のエッジ部１２が、対向する第２レンズ２の面７と全面で接触させることが可能となる。そのため、第１レンズ１の第2面６と、第２レンズ２の第1面７の相対偏心に対する敏感度が高い場合に有効である。
【００４４】
本実施例の光学系の構成では、機能膜１４を有する面６の内径Φ１ｂに対し、対向する第2レンズ２の面７の径Φ２を大きくしている。
【００４５】
本実施例の構成とすることで、膜硬度の弱い機能膜１４を有する第2面６は、内径Φ１ｂのエッジ部１２でのみ第２レンズ２と接触することとなる。そのため、機能膜１４には、触れることなく第1レンズ１を保持することができる。
【００４６】
図１の本実施例において、機能膜１４が施された第１レンズ１は、機能膜１４が施された面６と反対側の面方向からレンズ鏡筒３に組み入れられる。この構成では、第１レンズ１は第1面５を保持した状態でレンズ鏡筒３に組み込むことができるので、機能膜１４に触れずに組み込むこともできる。
【００４７】
また、この場合、機能膜１４が施された面６と反対側の面５に膜硬度の高い(膜硬度がＨ以上）反射防止膜を施すのが良い。これによればレンズの組み込み性が大幅に改善される。
【００４８】
図１の実施例１の比較例1を図９に示す。図９は図１と同じレンズ構成で、機能膜１４を有する面６の内径Φ１ｂが、対向する第２レンズ２の面７の径Φ２より大きい場合の光学系である。図９の参考例１の場合、第２レンズ２の外径Φ２のエッジ部２ａが、機能膜１４を有する面６と接触することになる。そのため、接触した箇所の機能膜１４は破壊されることとなる。
【００４９】
ここで、前述で説明したような偏心の調整を行った場合を考える。
【００５０】
図９に示した構成では、第２レンズ２の外径Φ２のエッジ部２ａが機能膜１４の面６上を回転やシフトすることとなり、機能膜１４の破壊具合は増加される。そして、状況によっては削り粉のようなゴミが発生してしまう。このゴミは、マージナルコンタクトされた面の間に発生するため、偏心の調整を行った後、レンズを取り外さないと除去することができない。そのため、生産性を大幅に悪化させてしまう。また、破壊された箇所は、微細構造部がなくなっているため、所望の反射特性が得られない。低屈折率層である微細構造部がなくなることで、構成によっては、通常の反射防止膜よりも高い反射率となる場合もあり、不要なゴースト光の発生原因となってくる。
【００５１】
また、機能膜１４の一部が破壊されることで、機能膜１４としては、耐環境性に優れていたとしても、破壊された箇所の耐環境性が低下し、その破壊部を起点として、レンズ全面の環境特性が悪化する。これに対して本実施例では、このようなことがない。
【００５２】
図６は本実施例において微細凹凸構造の機能膜１４の上に、微細凹凸構造の高さよりも薄い膜(保護膜）１７を施す構成の説明図である。
【００５３】
図６の構成は機能膜１４としての特性を低下させないような１０ｎｍ以下の膜厚の薄膜(保護膜）１７を表面にコーティングすることで、水分の浸入を防ぐなどの耐環境性を向上させる効果を有している。
【００５４】
この構成で、例えば図９のような構成をとると硬度の弱い微細凹凸構造が破壊されてしまい、保護コート１７も同時に除去されてしまうため、環境特性が悪化してしまう場合がある。
【００５５】
これに対し図１に示す本実施例の構成では、偏心の調整を行った場合でも、機能膜１４を有する面６のエッジ部１２が対向する面７上を移動することになるので、機能膜１４が破壊されることがない。従って、本実施例によれば機能膜を用いることによる効果が全面にわたり得られる。
【００５６】
本実施例の機能膜１４の膜硬度は、ISO／DIN  15184に規定されている引っかき硬度規格による膜硬度がH以下の機能膜であることが効果上好ましい。これ以上の膜硬度があれば、前述したような、レンズ組み込み時に機能膜が破壊されることが少ない。
【００５７】
本実施例の機能膜１４における薄膜層１５の構成は、ＴｉＯ２、ＳｉＯ２、Ａｌ２Ｏ３などの無機材料を真空蒸着により1層以上蒸着した膜である。或いはＳｉＯ２、ＴｉＯ２、ＺｒＯ２、ＺｎＯ２の化合物から選ばれた少なくとも１種の化合物からなる塗布液をレンズ面にスピンコート又はディップコートすることで製膜した多成分系膜である。また微細構造部１６の構成は、アルミニウムを含有する溶液をレンズ面にスピンコート又はディップコート塗布し，皮膜を形成し、該皮膜を８０度程度の温水に浸漬処理することで微細凹凸構造を形成した構成である。このとき、機能膜１４の膜硬度は６Ｂである。
【００５８】
また、本実施例の光学系においては機能膜１４と対向する第２レンズ２の面７には、機能膜１４より膜硬度が高い蒸着などによる反射防止膜が施されていることが望ましい。好ましくは膜硬度がＨ以上の反射防止膜を施すのが良い。
【００５９】
蒸着などで製作された反射防止膜は、膜硬度が優れている(硬い）ので、レンズ面にキズがつくことが少ない。さらに面７には、表面に撥油膜（撥油処理）が施されていることが好ましい。この場合、偏心調整を行う場合に、機能膜１４が施された面６のエッジ部１２が面７に塗布された撥油膜上を滑らかに移動するので、偏心調整が行いやすくなる。
【００６０】
本実施例に係る機能膜１４としては、膜の最外面側にレンズ１又は薄膜層１５に比べ低屈折率の層（微細構造部）１６を有することが光学性能上好ましく、さらには層１６の材料の屈折率が１．３５以下の低屈折率の層であることが望ましい。
【００６１】
通常の膜材として、MｇF２の材料の屈折率が１．３８程度であるので、屈折率１．３５以下の膜でないと、機能膜としての効果が低くなってしまう。
【００６２】
また、本実施例の機能膜としては、反射防止機能を有するほかに、ダイクロ膜や干渉フィルター等のような分光特性を有していても良い。
【００６３】
そして低屈折率の層としては、製法や構造に限定される必要はなく、前述したような様々な形状の微細構造部を用いることができる。
【００６４】
図７は本発明の光学系の実施例２の要部概略図である。図７は、図１とほぼ同じレンズ構成である。実施例２の光学系はメニスカス形状の負の第１レンズ１と両凸形状の正の第２レンズ２から構成されている。
【００６５】
図７の実施例２では、機能膜１４は、第２レンズ２の凸形状の第１面７に形成されている。この場合も、機能膜１４が施されている面７の径（外径φ２）より、対向する第１レンズ１の面６の径（φ１ｂ）を大きく取ることで、機能膜１４が施されている面７のエッジ部１２でマージナルコンタクトされることとなる。これにより、図１の実施例１と同じように、機能膜１４を破壊することなく、双方のレンズをレンズ鏡筒３に組み込むことが容易となる。
【００６６】
以上のように、本発明の光学系は、機能膜を施すレンズの形状には依存せず、マージナルコンタクトが可能なレンズ形状であれば、どのようなレンズ形状にも適用することができる。
【００６７】
以上のように各実施例によれば膜硬度が弱い膜をレンズに施した場合でも、膜を破壊することなくマージナルコンタクトできる光学系が得られる。そして、それにより高性能の反射防止特性を有する機能膜を提供することができる。さらに不要な反射光を抑制し、ゴースト光が発生しない良好な光学性能を有する光学系が得られる。
【００６８】
さらに組み込み精度の高いマージナルコンタクトの面に、機能膜を適用することができ、小型化、高性能化が求められている撮影レンズなどの光学系が容易に得られる。
【００６９】
尚、本発明の光学系は、２つのレンズをマージナルコンタクトするとき、マージナルコンタクトする一方のレンズ面に施した機能膜の膜硬度が、機能膜を形成した面と対向するレンズの材料の硬度より小さい構成であれば適用できる。又は機能膜を形成した面と対向するレンズの面に形成された膜(例えば反射防止膜）の膜硬度より小さい構成であれば適用できる。
【００７０】
本発明の光学系は、例えばビデオカメラの撮影レンズやファインダー光学系、事務機のイメージスキャナーやデジタル複写機等のリーダーレンズ、そしてプロジェクターの投射光学系などの光学機器において広い波長域で使用される光学系に適用できる。
【００７１】
また双眼鏡や地上望遠鏡や天体観測用望遠鏡等の光学機器の観察光学系にも適用することができる。
【００７２】
本発明の光学系は、これらの光学機器に用いれば広い波長域にわたり良好なる反射防止を行った光学系が得られる。
【図面の簡単な説明】
【００７３】
【図１】本発明の実施例１における光学系の構成図
【図２】本発明に用いられる機能膜の構成図
【図３】機能膜の最外層に用いられる微細構造部の一例を示す図
【図４】機能膜の最外層に用いられる微細構造部の他の例を示す図
【図５】本発明に用いられる微細凹凸構造の機能膜の構成図
【図６】保護層を有する微細凹凸構造の機能膜の構成図
【図７】本発明の他の実施例における光学系の構成図
【図８】レンズの偏心調整の説明図
【図９】従来例における光学系の構成図
【符号の説明】
【００７４】
１  第1レンズ
２  第２レンズ
３  レンズ鏡筒
４  押さえ環
５、６，７，８  レンズ面
９  光軸、
１０，１１  嵌合部
１２  エッジ部
１３  組み込み方向
１４  機能膜
１５  薄膜
１６  微細構造部
１７  保護層
１６ａ  微粒子
１６ｂ  微細凹凸形状部
【図１】
0005067863.tif 000002
【図２】
0005067863.tif 000003
【図３】
0005067863.tif 000004
【図５】
0005067863.tif 000005
【図６】
0005067863.tif 000006
【図７】
0005067863.tif 000007
【図４】
0005067863.tif 000008
【図８】
0005067863.tif 000009
【図９】
0005067863.tif 000010